(57)【要約】【課題】ユーザが満足できる可能性の高いディスプレイのパラメータを取得し設定できるようにする。【解決手段】各テレビジョン受像機１０２〜１０４が調整したパラメータをサーバ１０１にアップロードする。また、各テレビジョン受像機１０２〜１０４はコンテンツを視聴する際にサーバ１０１からパラメータを選択し取得し、設定する。設定した際にそのパラメータを利用するかどうかをサーバ１０１に送信し、利用した場合は利用ポイントを増加する。多くのユーザのパラメータの利用状況を反映しパラメータの人気順位を決定するため、パラメータを選択する際に満足を得られる可能性が高いパラメータを選択することが出来る。【選択図】  図１
2009253392.tif 000002
【特許請求の範囲】
【請求項１】
映像表示装置に表示するコンテンツに関するパラメータの調整機能を有した情報処理装置であって、
前記映像表示装置に表示するコンテンツの情報を取得する手段と、
前記パラメータを変更する手段と、
前記パラメータを記憶する手段と、
前記パラメータと前記コンテンツの情報と前記映像表示装置の情報とを他の情報処理装置に送信する手段と、
他の情報処理装置からのパラメータの情報を受信し表示する手段と、
前記表示されたパラメータを選択する手段と、
前記選択したパラメータを他の情報処理装置へ送信する手段とを有することを特徴とする情報処理装置。
【請求項２】
映像表示装置に表示するコンテンツに関するパラメータの調整機能を有した情報処理装置の制御方法であって、
前記映像表示装置に表示するコンテンツの情報を取得する工程と、
前記パラメータを変更する工程と、
前記パラメータを記憶媒体に記憶する工程と、
前記パラメータと前記コンテンツの情報と前記映像表示装置の情報とを他の情報処理装置に送信する工程と、
他の情報処理装置からのパラメータの情報を受信し表示する工程と、
前記表示されたパラメータを選択する工程と、
前記選択したパラメータを他の情報処理装置へ送信する工程とを有することを特徴とする情報処理装置の制御方法。
【請求項３】
映像表示装置に表示するコンテンツに関するパラメータの調整機能を有した情報処理装置の制御をコンピュータに実行させるためのプログラムであって、
前記映像表示装置に表示するコンテンツの情報を取得するステップと、
前記パラメータを変更するステップと、
前記パラメータを記憶媒体に記憶するステップと、
前記パラメータと前記コンテンツの情報と前記映像表示装置の情報とを他の情報処理装置に送信するステップと、
他の情報処理装置からのパラメータの情報を受信し表示するステップと、
前記表示されたパラメータを選択するステップと、
前記選択したパラメータを他の情報処理装置へ送信するステップとをコンピュータに実行させるためのプログラム。
【発明の詳細な説明】
【技術分野】
【０００１】
本発明は、例えばテレビ受像機において画質・音声のパラメータを設定するための情報処理装置、制御方法及びプログラムに関するものである。
【背景技術】
【０００２】
プラズマディスプレイ等の表示装置において、コンテンツに応じてコントラスト・輝度・低音・高音・バランス等を適切な値に設定することは、作業効率、コンテンツ作成者の意図を理解するためや楽しむため、また疲労軽減等のために重要である。
【０００３】
従来、これらの調整は、ユーザによって行われてきたが、操作に不慣れなユーザは、画質や音声のパラメータを適切な値に設定することが困難であった。この問題を解決するために、ネットワークで接続された別のディスプレイからパラメータを取得し設定するものがある（特許文献１を参照のこと）。
【０００４】
【特許文献１】特開２００４−２２８７８８号公報
【発明の開示】
【発明が解決しようとする課題】
【０００５】
しかしながら、上記特許文献１に記載の技術では以下のような問題点があった。
即ち、ネットワークで接続された別のディスプレイからパラメータを取得するため、パラメータを取得するディスプレイに適切なパラメータが記憶されていない場合、適切なパラメータを取得することが出来ない。
パラメータを取得する場合、パラメータを送信するディスプレイのユーザが登録した満足度に基づいてパラメータを送信する。しかし、パラメータを送信するディスプレイのユーザのみの満足度であるため、パラメータを取得し設定するディスプレイのユーザが満足するか分からない。
【０００６】
本発明は係る実情に鑑みて、ユーザが満足できる可能性が高いディスプレイのパラメータを取得し設定する情報処理装置等の提供を目的とする。
【課題を解決するための手段】
【０００７】
本発明の情報処理装置は、映像表示装置に表示するコンテンツに関するパラメータの調整機能を有した情報処理装置であって、前記映像表示装置に表示するコンテンツの情報を取得する手段と、前記パラメータを変更する手段と、前記パラメータを記憶する手段と、前記パラメータと前記コンテンツの情報と前記映像表示装置の情報とを他の情報処理装置に送信する手段と、他の情報処理装置からのパラメータの情報を受信し表示する手段と、前記表示されたパラメータを選択する手段と、前記選択したパラメータを他の情報処理装置へ送信する手段とを有することを特徴とする。
また、本発明の情報処理装置の制御方法は、映像表示装置に表示するコンテンツに関するパラメータの調整機能を有した情報処理装置の制御方法であって、前記映像表示装置に表示するコンテンツの情報を取得する工程と、前記パラメータを変更する工程と、前記パラメータを記憶媒体に記憶する工程と、前記パラメータと前記コンテンツの情報と前記映像表示装置の情報とを他の情報処理装置に送信する工程と、他の情報処理装置からのパラメータの情報を受信し表示する工程と、前記表示されたパラメータを選択する工程と、前記選択したパラメータを他の情報処理装置へ送信する工程とを有することを特徴とする。
また、本発明のプログラムは、映像表示装置に表示するコンテンツに関するパラメータの調整機能を有した情報処理装置の制御をコンピュータに実行させるためのプログラムであって、前記映像表示装置に表示するコンテンツの情報を取得するステップと、前記パラメータを変更するステップと、前記パラメータを記憶媒体に記憶するステップと、前記パラメータと前記コンテンツの情報と前記映像表示装置の情報とを他の情報処理装置に送信するステップと、他の情報処理装置からのパラメータの情報を受信し表示するステップと、前記表示されたパラメータを選択するステップと、前記選択したパラメータを他の情報処理装置へ送信するステップとをコンピュータに実行させるためのプログラムである。
【発明の効果】
【０００８】
本発明によれば、ユーザが満足できる可能性の高いディスプレイのパラメータを設定することが可能となる。
【発明を実施するための最良の形態】
【０００９】
以下、本発明の実施の形態を図に基づいて説明する。
図１は、本発明の実施の形態に係る映像表示装置（テレビジョン受像機）１０２を含む映像表示装置パラメータ設定システムを説明する図である。
【００１０】
図１において、テレビジョン受像機１０２、１０３、１０４とサーバ１０１とパーソナルコンピュータ１０８はインターネット１０７に接続されている。テレビジョン受像機１０２、１０３は電波塔１０６からテレビジョン放送を受信し、テレビジョン受像機１０４はＤＶＤプレーヤ１０５と接続されている。なお、テレビジョン受像機は、本発明に係る情報処理装置を有する。
【００１１】
図２はテレビジョン受像機（１０２〜１０４）のブロック図である。通信部２０４はインターネットを介しサーバとデータの送受信を行い、操作入力部２０５によってユーザは操作をテレビジョン受像機に伝え画質・音声の調整又は各種パラメータを変更することでその調整機能を有する。
【００１２】
映像・音声信号受信部２０６は放送信号の受信と、ＤＶＤプレーヤ１０５から出力される映像・音声信号を受信する。また、映像・音声信号受信部２０６は受信した信号からコンテンツ情報を得ることができる。
【００１３】
映像・音声信号受信部２０６で受信した音声信号は、音声信号処理部２０７で処理され音声出力部２０９により音声出力される。また、映像・音声信号受信部２０６で受信した映像信号は、映像信号処理部２０８で処理され映像表示部２１０により映像を表示される。
【００１４】
音声信号処理部２０７、映像信号処理部２０８はＭＰＵ２０１の指示によりパラメータが設定され処理方法を切り替える。
【００１５】
ＭＰＵ２０１は、ＲＯＭ２０２に記憶された制御プログラムに従って、このテレビジョン受像機１０２、１０３、１０４全体の動作を制御しており、各種データの入出力制御やデータ処理等を行う。
【００１６】
図３はサーバ１０１のブロック図である。通信部２１４はインターネットを介し、テレビジョン受像機１０２、１０３、１０４とデータの送受信を行う。ＭＰＵ２１１がＲＯＭ２１２に記憶された制御プログラムをＲＡＭ２１３に展開して、サーバ１０１全体の動作を制御する。
【００１７】
図４はテレビジョン受像機１０３でコンテンツ１を視聴し、パラメータをユーザが調整するときの表示画面を示したものである。テレビジョン受像機１０３を制御するためのリモコンかテレビジョン受像機１０３のボタン等で操作しコントラスト・明るさ・低音・高音などの調整項目を視聴しているコンテンツ１に適した値に調整する。
【００１８】
図５はサーバ１０１に調整したパラメータをアップロードするときにパラメータに関連付けるデータの確認を行い、サーバ１０１にアップロードするときの表示画面を示したものである。
【００１９】
図６はサーバ１０１に調整したパラメータをアップロードするときにパラメータに関連付けるデータであるパラメータの設定名の修正を行っているときの表示画面を示したものである。同様にコンテンツ名・ジャンル名・テレビジョン受像機の機種名・コメント等の修正を行う。
【００２０】
図７はテレビジョン受像機１０３でコンテンツ１を視聴し、パラメータをユーザが調整するときのフローチャートである。
【００２１】
ステップＳ３０１で画質・音声のパラメータを調整し、ステップＳ３０２でｕｐｌｏａｄボタンが選択された場合は、ステップＳ３０３に進み、サーバ１０１にアップロードするパラメータに関連付けるデータの確認を行う。
【００２２】
ステップＳ３０２でｕｐｌｏａｄボタンが選択されない場合はステップＳ３０１で続けてパラメータの調整を行う。
【００２３】
ステップＳ３０４でサーバ１０１にアップロードするデータの修正がある場合は項目を選択し、続いてステップＳ３０５でデータの修正を行う。例えば設定名を修正する場合の表示画面は図６になる。
【００２４】
ステップＳ３０６でｃａｎｃｅｌボタンが選択された場合はステップＳ３０１に戻りパラメータの修正を行う。
【００２５】
ステップＳ３０７でＯＫボタンが選択された場合は、ステップＳ３０８で、調整したパラメータとそれに関連付けられたデータをサーバ１０１にアップロードする。なお、以上で説明した処理は、ＭＰＵ２０１が行う。
【００２６】
図８はテレビジョン受像機１０２でコンテンツ１を視聴しているときに、サーバ１０１からどのパラメータを取得するか選択するときの表示画面である。コンテンツ１でテレビジョン受像機１０２の機種のなかから人気のパラメータ順に表示している。コンテンツ１に対する人気ではなくコンテンツのジャンルに対する人気順に表示することや、設定者別に表示を切り替えるようにしても構わない。
【００２７】
図９はサーバ１０１からパラメータを取得し、テレビジョン受像機１０２に設定したときに、その設定を使うか選択するときの画面表示である。
【００２８】
図１０はサーバ１０１からパラメータを取得し、テレビジョン受像機１０２に設定するときのフローチャートである。
【００２９】
先ずステップＳ４０１で図８の画面で取得する画質・音声パラメータの選択を行う。このときコメント等の詳細データを参照できる画面に切り替えられても構わない。
【００３０】
パラメータを選択したらステップＳ４０２でサーバ１０１からパラメータを取得する。次にステップＳ４０３で取得したパラメータをテレビジョン受像機１０２に設定する。
【００３１】
ステップＳ４０４でユーザは設定された画質・音声を確認し、設定したパラメータを使うかの判定を行う。使わない場合はステップＳ４０５で設定を元に戻し、取得するパラメータを選択する画面に戻る（ステップＳ４０１）。
【００３２】
ステップＳ４０４で設定したパラメータを使うことを選択した場合ステップＳ４０６で、取得したパラメータに対する利用ポイントを増加させるメッセージをサーバ１０１に送信する。
【００３３】
次にステップＳ４０７で設定したパラメータをテレビジョン受像機１０２に記憶する。サーバ１０１からどのパラメータを取得するか選択するときの表示画面を、設定者別に表示を切り替えるようにする場合、画面構成や表示の切り替えはテレビジョン受像機１０２で行ってもどちらでも構わない。
【００３４】
また本実施の形態では、取得したパラメータに対する利用ポイントを増加させるメッセージをサーバ１０１が受信すると、取得したパラメータに対する利用ポイントを増加させそのデータを記憶する。
【００３５】
また、テレビジョン受像機１０４で、ＤＶＤプレーヤ１０５を用いてコンテンツ１を視聴する場合、ＤＶＤからコンテンツ情報を取得することにより、図７のようにパラメータを調整しサーバ１０１にアップロードすることが出来る。
【００３６】
また、図１０のようにサーバ１０１からパラメータを選択し取得することもできる。また、パーソナルコンピュータ１０８からサーバ１０１にコマンドを送信することによりパラメータデータをアップロードすることやサーバ１０１のデータを取得することが出来る。
【００３７】
以上のような本実施の形態に係るシステムを多くの人が利用することにより、多くの人が支持するパラメータが上位の人気になり、精度の高いデータを作成できる。そのため、パラメータを選択する人が満足できるパラメータを設定できる時間を短縮できる可能性が高くなる。
【００３８】
このように本実施の形態によれば、ユーザが満足できる可能性が高いディスプレイのパラメータを取得し設定することができる。
【００３９】
なお、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００４０】
この場合、記憶媒体から読み出されたプログラムコード自体が上述した実施形態の機能を実現することになり、プログラムコード自体及びそのプログラムコードを記憶した記憶媒体は本発明を構成することになる。
【００４１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４２】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００４３】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００４４】
【図１】本発明の実施の形態に係るシステム構成図である。
【図２】本発明の実施の形態に係るテレビジョン受像機の機能構成を説明するブロック図である。
【図３】本発明の実施の形態に係るサーバの機能構成を説明するブロック図である。
【図４】本発明の実施の形態に係るテレビジョン受像機のパラメータを調整する表示画面を示す図である。
【図５】本発明の実施の形態に係るテレビジョン受像機の調整したパラメータをサーバにアップするデータを確認する表示画面を示す図である。
【図６】本発明の実施の形態に係るテレビジョン受像機の調整したパラメータをサーバにアップするデータを修正する表示画面を示す図である。
【図７】本発明の実施の形態に係るテレビジョン受像機の調整したパラメータをサーバにアップする処理を説明するフローチャートである。
【図８】本発明の実施の形態に係るテレビジョン受像機がサーバから取得するパラメータを選択する表示画面を示す図である。
【図９】本発明の実施の形態に係るテレビジョン受像機がサーバから取得したパラメータを利用するか選択する表示画面を示す図である。
【図１０】本発明の実施の形態に係るテレビジョン受像機がサーバからパラメータを取得する処理を説明するフローチャートである。
【符号の説明】
【００４５】
１０１  サーバ
１０２、１０３、１０４  テレビジョン受像機
１０５  ＤＶＤプレーヤ
１０６  テレビ塔
１０７  インターネット
１０８  パソコン
２０１、２１１  ＭＰＵ
２０２、２１２  ＲＯＭ
２０３、２１３  ＲＡＭ
２０４、２１４  通信部
２０５  操作入力部
２０６  映像・音声信号受信部
２０７  音声信号処理部
２０８  映像信号処理部
２０９  音声出力部
２１０  映像表示部
【図１】
2009253392.tif 000003
【図２】
2009253392.tif 000004
【図３】
2009253392.tif 000005
【図４】
2009253392.tif 000006
【図５】
2009253392.tif 000007
【図６】
2009253392.tif 000008
【図７】
2009253392.tif 000009
【図８】
2009253392.tif 000010
【図９】
2009253392.tif 000011
【図１０】
2009253392.tif 000012